(57)【要約】【課題】発光キースイッチモジュール及びそのキーボードを提供する。【解決手段】本考案の発光キースイッチモジュールは、ベースプレートと、キースイッチと、導光板と、光源と、拡散構造と、反射シートと、を備える。ベースプレートは、穿孔を有する。キースイッチは、ベースプレートに設けられる。導光板は、ベースプレートの下に設けられて、収容空間を有する。収容空間は、穿孔と連通される。光源は、穿孔を貫通して収容空間に収容され、第１出光面から光を発射する。光は、第１発散角度を有する。拡散構造は、収容空間に収容されて、光源と導光板との間に位置付けられ、入光面と第２出光面とを有する。光は、入光面から拡散構造に入り、また、第２出光面から拡散構造を離れる。第２出光面から離れた光は、第１発散角度より大きい第２発散角度を有する。反射シートは、導光板の下に設けられ、光を導光板とベースプレートに順次に通過させてキースイッチに到達させるように反射することに用いられる。【選択図】図３Ａ
0003181857.tif 000002
【実用新案登録請求の範囲】
【請求項１】
穿孔を有するベースプレートと、
前記ベースプレートに設けられるキースイッチと、
前記ベースプレートの下に設けられ、前記穿孔と連通される収容空間を有する導光板と、
前記穿孔を貫通して前記収容空間に収容され、第１出光面を有し、前記第１出光面から、第１発散角度を有する光を発射する光源と、
前記収容空間に収容されて、前記光源と前記導光板との間に位置付けられ、入光面と第２出光面とを有し、また、前記第１出光面から離れた前記光が、前記入光面から入り、そして、前記第２出光面から離れて前記導光板に入り、前記第２出光面から離れた前記光は、前記第１発散角度より大きい第２発散角度を有する拡散構造と、
前記導光板の下に設けられ、前記光を前記導光板と前記ベースプレートに順次に通過させて前記キースイッチに到達させるように反射することに用いられる反射シートと、
を備える発光キースイッチモジュール。
【請求項２】
前記第２出光面の曲率半径は、前記入光面の曲率半径より小さい請求項１に記載の発光キースイッチモジュール。
【請求項３】
前記入光面は、平面であり、且つ前記第２出光面は、曲面である請求項２に記載の発光キースイッチモジュール。
【請求項４】
前記反射シートは、前記導光板にフラットに貼り合わせられて、前記光源の底部に固定される請求項１ないし請求項３のいずれか１項に記載の発光キースイッチモジュール。
【請求項５】
前記穿孔をカバーするように前記ベースプレートに設けられ、前記光源に電気的に接続されることに用いられる回路基板を更に備える請求項１ないし請求項４のいずれか１項に記載の発光キースイッチモジュール。
【請求項６】
前記穿孔をカバーするように前記ベースプレートに設けられ、前記キースイッチのトリガ動作によってトリガ信号を発生して、前記光源に給電することに用いられる回路基板を更に備える請求項１ないし請求項４のいずれか１項に記載の発光キースイッチモジュール。
【請求項７】
穿孔を有するベースプレートと、
前記ベースプレートに設けられる複数のキースイッチと、
前記ベースプレートの下に設けられ、前記穿孔と連通される収容空間を有する導光板と、
前記穿孔を貫通して前記収容空間に収容され、第１出光面を有し、前記第１出光面から、第１発散角度を有する光を発射する光源と、
前記収容空間に収容されて、前記光源と前記導光板との間にあり、入光面と第２出光面とを有し、前記第１出光面から離れた、前記第１発散角度より大きい第２発散角度を有する前記光が、前記入光面から入り、また、前記第２出光面から離れて、前記導光板に入る拡散構造と、
前記導光板の下に設けられ、前記光を前記導光板と前記ベースプレートに順次に通過させて前記複数のキースイッチに到達させるように反射することに用いられる反射シートと、
を備えるキーボード。
【請求項８】
前記第２出光面の曲率半径は、前記入光面の曲率半径より小さい請求項７に記載のキーボード。
【請求項９】
前記入光面は、平面であり、且つ前記第２出光面は、曲面である請求項８に記載のキーボード。
【請求項１０】
前記穿孔をカバーするように前記ベースプレートに設けられ、前記光源に電気的に接続されることに用いられる回路基板を更に備える請求項７ないし請求項９のいずれか１項に記載のキーボード。
【請求項１１】
前記穿孔をカバーするように前記ベースプレートに設けられ、前記キースイッチのトリガ動作によってトリガ信号を発生して、前記光源に給電することに用いられる回路基板を更に備える請求項７ないし請求項９のいずれか１項に記載のキーボード。
【請求項１２】
前記ベースプレートは、前記導光板の周縁外で、少なくとも１つの延出部を有し、前記反射シートは、前記導光板にフラットに貼り合わせられて、前記延出部に固定される請求項７ないし請求項１１のいずれか１項に記載のキーボード。
【考案の詳細な説明】
【技術分野】
【０００１】
本考案は、発光キースイッチモジュール及びそのキーボードに関する。
【背景技術】
【０００２】
現在、個人用コンピュータの使用習慣から言えば、キーボードは、不可欠な入力装置の１つとして、文字又は数字を入力することに用いられる。それだけでなく、およそ日常生活で接触する消耗性電子製品又は工業界で利用される大型加工設備であれば、何れも入力装置として、操作するためのキースイッチ構造を設ける必要がある。
【考案の概要】
【考案が解決しようとする課題】
【０００３】
暗い場所においてキーボードを使いやすくするために、市場では、暗い場所でも利用可能な発光ダイオード（Ｌｉｇｈｔ−Ｅｍｉｔｔｉｎｇ  Ｄｉｏｄｅ；ＬＥＤ）バックライトキーボードが更に開発されて、キーボードの多様性を更に増大させた。現在、キーボードにおける各キースイッチ（又は、必要とするキースイッチ)の下方に、発光ダイオードを別々に設ける方法が知られている。しかしながら、従来の発光キーボードは、発光ダイオードを、キースイッチのキーキャップに向けて発光させるようにフィルム回路基板に直接に設ける方式を利用するため、キーキャップに発光のバラツキが生じやすく、キーキャップの発光効果を大いに低下させるようになってしまった。それだけでなく、前記方式によれば、キーキャップの発光領域が小領域に限定されることもあるため、ユーザーの視覚体験にも影響を与えてしまった。
【課題を解決するための手段】
【０００４】
従来技術の問題を解決するために、本考案の一技術態様は、直接に上に向けてキースイッチのキーキャップを照射する照射方式と異なった、バックライトによる照射方式で発光を行うため、その全体が取得する発光効果を均一にすることができる発光キースイッチモジュールである。また、本考案の発光キースイッチモジュールにおいて、光源外で拡散構造を更に設けて、光源からの光の発散角度を更に拡大することで、発光キースイッチモジュールのバックライト品質を効果的に向上させる。なお、本考案において、反射シートを、導光板との間を接着剤によって接着せずに、ベースプレートに直接に固定させるため、光が反射シートから導光板まで反射される過程中、阻害されて発光品質に影響を与えることはない。
【０００５】
本考案の一実施形態によると、発光キースイッチモジュールは、ベースプレートと、キースイッチと、導光板と、光源と、拡散構造と、反射シートと、を備える。ベースプレートは、穿孔を有する。導光板は、ベースプレートの下に設けられて、収容空間を有する。収容空間は、穿孔と連通される。光源は、穿孔を貫通して収容空間に収容される。光源は、第１出光面を有する。光源は、第１出光面から光を発射する。光は、第１発散角度を有する。拡散構造は、収容空間に収容されて、光源と導光板との間にある。拡散構造には、入光面と第２出光面とを有する。第１出光面から離れた光は、入光面から拡散構造に入り、また、第２出光面から拡散構造を離れて導光板に入る。第２出光面から離れた光は、第１発散角度より大きい第２発散角度を有する。反射シートは、導光板の下に設けられ、光を導光板とベースプレートに順次に通過させてキースイッチに到達させるように反射することに用いられる。
【０００６】
本考案の一実施例において、前記拡散構造の外観は、大体、収容空間に合致し、且つ光源は、拡散構造内に覆設される。
【０００７】
本考案の一実施例において、前記第２出光面の曲率半径は、入光面の曲率半径より小さい。
【０００８】
本考案の一実施例において、前記入光面は、平面であり、且つ第２出光面は、曲面である。
【０００９】
本考案の一実施例において、前記第２発散角度は、１６０度以下である。
【００１０】
本考案の一実施例において、前記反射シートは、導光板にきちんと貼り合わせられて、光源の底部に固定される。
【００１１】
本考案の一実施例において、前記発光キースイッチモジュールは、回路基板を更に備える。回路基板は、穿孔をカバーするようにベースプレートに設けられ、光源に電気的に接続されることに用いられる。
【００１２】
本考案の一実施例において、前記回路基板は、フレキシブル回路基板である。
【００１３】
本考案の一実施例において、前記発光キースイッチモジュールは、回路基板を更に備える。回路基板は、前記穿孔をカバーするように前記ベースプレートに設けられ、キースイッチのトリガ動作によってトリガ信号を発生して、光源に給電することに用いられる。
【００１４】
本考案の一実施例において、前記回路基板は、フィルム回路基板である。
【００１５】
本考案の別の技術態様は、キーボードである。
【００１６】
本考案の一実施形態によると、キーボードは、ベースプレートと、複数のキースイッチと、導光板と、光源と、拡散構造と、反射シートと、を備える。ベースプレートは、穿孔を有する。キースイッチは、ベースプレートに設けられる。導光板は、ベースプレートの下に設けられて、収容空間を有する。収容空間は、穿孔と連通される。光源は、穿孔を貫通して収容空間に収容される。光源は、第１出光面を有する。光源は、第１出光面から光を発射する。光は、第１発散角度を有する。拡散構造は、収容空間に収容されて、光源と導光板との間にある。拡散構造は、入光面と第２出光面とを有する。第１出光面から離れた光は、入光面から拡散構造に入り、また、第２出光面から拡散構造を離れて導光板に入る。第２出光面から離れた光は、第１発散角度より大きい第２発散角度を有する。反射シートは、導光板の下に設けられ、光を導光板とベースプレートに順次に通過させてキースイッチに到達させるように反射することに用いられる。
【００１７】
本考案の一実施例において、前記ベースプレートは、導光板の周縁外で、少なくとも１つの延出部を有する。反射シートは、導光板にきちんと貼り合わせられて、延出部に固定される。
【図面の簡単な説明】
【００１８】
【図１】本考案の一実施例によるキーボードを示す斜視図である。
【図２】図１に示した発光キースイッチモジュールを示す局部立体分解図である。
【図３Ａ】図１に示した発光キースイッチモジュールの線分３Ａ−３Ａ’に沿った断面図を示す。
【図３Ｂ】図３Ａに示した発光キースイッチモジュールの線分３Ｂ−３Ｂ’に沿った断面図を示す。
【図４Ａ】図１に示した発光キースイッチモジュールの線分３Ａ−３Ａ’に沿った別の実施例における別の断面図を示す。
【図４Ｂ】図４Ａに示した発光キースイッチモジュールの線分４Ｂ−４Ｂ’に沿った断面図を示す。
【図５】図１に示したキーボードを示す側面図である。図面において、反射シート１８を断面で示す。
【考案を実施するための形態】
【００１９】
以下、図面によって、本考案の複数の実施形態を開示するが、明確に説明するためには、数多くの実行上の細部を以下の記述で一括して説明する。しかしながら、これらの実行上の細部が、本考案を限定するためのものではないことは理解すべきである。つまり、本考案の一部の実施形態において、これらの実行上の細部は、必須なものではない。また、図面を簡素化するように、公知で慣用の構造と素子については、図面において簡単に示す。
【００２０】
図１を参照する。図１は、本考案の一実施例によるキーボード１を示す斜視図である。
【００２１】
図１に示すように、本実施形態のキーボード１は、デスクトップコンピュータ用の外部キーボード（例えば、ＰＳ２インターフェースのキーボード、又はＵＳＢインターフェースのキーボード）、又はキーボード形式の入力装置を含むコンピュータシステム（例えば、ノートパソコン、又はラップトップパソコン）であってよいが、これらに限定されない。換言すれば、本考案のキーボード１の概念は、発光キースイッチモジュールを入力インターフェースとする如何なる電子製品に用いられることができる。
【００２２】
図２を参照する。図２は、図１に示した発光キースイッチモジュールを示す局部立体分解図である。
【００２３】
図１と図２に示すように、本実施例において、キーボード１は、少なくとも、ベースプレート１０と、複数のキースイッチ１２と、導光板１４と、光源１６０と、拡散構造１６２と、反射シート１８と、フィルム回路基板２０と、を備える。キーボード１のベースプレート１０は、複数の穿孔１００を有する（ただし、ベースプレート１０、単一のキースイッチ１２、導光板１４、光源１６０、拡散構造１６２、反射シート１８及びフィルム回路基板２０は、独立した発光キースイッチモジュールとされてもよい)。キーボード１のキースイッチ１２は、ベースプレート１０に設けられる。キーボード１の導光板１４は、ベースプレート１０の下に設けられて、複数の収容空間１４０を有する。各収容空間１４０は、何れも対応する穿孔１００と連通される。キーボード１の光源１６０は、穿孔１００を貫通し、拡散構造１６２と共に収容空間１４０に収容される。キーボード１の反射シート１８は、導光板１４の下に設けられる。キーボード１のフィルム回路基板２０は、穿孔をカバーするようにベースプレート１０に設けられる。以下、キーボード１に含まれる各素子の構造及び各素子同士の接続関係について、更に詳しく説明する。
【００２４】
図２に示すように、本実施例において、キーボード１のキースイッチ１２は、キーキャップ１２０と、はさみ型支持構造１２２と、エラストマー（ｄｏｍｅ）１２４と、を含む。キースイッチ１２のはさみ型支持構造１２２は、キーキャップ１２０とベースプレート１０との間に接続され、第１支持部材１２２ａと第２支持部材１２２ｂを枢着してなることによって、ベースプレート１０に対するキーキャップ１２０の垂直往復運動を支持する。キーボード１のフィルム回路基板２０には、大体、キースイッチ１２のキーキャップ１２０の下方にある回路スイッチ２００が設けられている。キースイッチ１２のエラストマー１２４は、ベースプレート１０に設けられ、はさみ型支持構造１２２を貫通してキースイッチ１２のキーキャップ１２０とフィルム回路基板２０の回路スイッチ２００との間に位置付けられる。キースイッチ１２のエラストマー１２４は、キースイッチが下に押された後、元の位置に回復するための弾力を提供する弾性部材である。且つ、キースイッチ１２のキーキャップ１２０が押されてベースプレート１０へ移動する場合、エラストマー１２４は、キーキャップ１２０による押圧で変形し、更にフィルム回路基板２０の回路スイッチ２００に触れてから（即ち、トリガ動作）、回路スイッチ２００は、直ちにトリガ信号を発生する。キーボード１の光源１６０は、フィルム回路基板２０に電気的に接続され、フィルム回路基板２０により直接給電される。
【００２５】
図２に示すように、本実施例において、キーボード１のベースプレート１０では、キースイッチ１２の４つの隅辺りに、４つの穿孔１００が対応する位置に設けられてあり、且つ導光板１４では、４組の光源１６０と拡散構造１６２を収容するための４つの収容空間が対応する位置に設けられている。しかしながら、ベースプレート１０の穿孔１００、導光板１４の収容空間１４０及び光源１６０と拡散構造１６２の数と設置位置は、本考案に限定されなく、設計時の需要又は製造上の制限（例えば、素子の配置）によって、柔軟に調整されることができる。
【００２６】
図３Ａ及び図３Ｂを参照する。図３Ａは、図１に示した発光キースイッチモジュールの線分３Ａ−３Ａ’に沿った断面図を示す。図３Ｂは、図３Ａに示した発光キースイッチモジュールの線分３Ｂ−３Ｂ’に沿った断面図を示す。
【００２７】
図３Ａと図３Ｂに示すように、本実施例において、キーボード１の光源１６０は、キーボード１のフィルム回路基板２０に設けられ、フィルム回路基板２０により直接給電される。キーボード１の光源１６０は、フィルム回路基板２０からベースプレート１０の穿孔１００を貫通し、導光板１４の収容空間１４０に収容される。キーボード１の光源１６０は、第１出光面１６０ａを有する。キーボード１の光源１６０は、第１出光面１６０ａから、導光板１４へ、光を側方に向けて発射する。
【００２８】
本実施例において、キーボード１の光源１６０を表面実装技術（Ｓｕｒｆａｃｅ  Ｍｏｕｎｔ  Ｔｅｃｈｎｏｌｏｇｙ；ＳＭＴ）によってキーボード１のフィルム回路基板２０に設けることができるが、本考案は、これに限定されない。
【００２９】
更に、光源１６０の第１出光面１６０ａは、大体、導光板１４に垂直であり、且つ第１出光面１６０ａから離れた光は、第１発散角度θ１を有する。なお、キーボード１の拡散構造１６２は、収容空間１４０に収容されて、ベースプレート１０と反射シート１８との間にある。本実施例において、キーボード１の光源１６０は、入光面１６２ａと第２出光面１６２ｂとを有する拡散構造１６２内に覆設される。光は、光源１６０の第１出光面１６０ａから離れた後、拡散構造１６２の入光面１６２ａから拡散構造１６２に入り、拡散構造１６２の第２出光面１６２ｂから拡散構造１６２を離れる。それから、拡散構造１６２的第２出光面１６２ｂから離れた光は、導光板１４に更に入る。
【００３０】
図３Ｂに示すように、拡散構造１６２の入光面１６２ａと第２出光面１６２ｂが、異なる曲率半径を有するため、第２出光面１６２ｂから離れた光は、第２発散角度θ２を有する（光屈折の原理による)。本実施例において、光源１６０の第１出光面１６０ａは、平面であり、拡散構造１６２の入光面１６２ａは、平面であり、且つ第２出光面１６２ｂは、曲面であるが、本考案は、これに限定されない。拡散構造１６２の入光面１６２ａを大体、光源１６０の第１出光面１６０ａの形状に合致させて、拡散構造１６２の第２出光面１６２ｂの曲率半径を入光面１６２ａの曲率半径より小さくすれば、第２発散角度θ２を第１発散角度θ１より大きくすることができる。例としては、第１出光面１６０ａから離れた光の第１発散角度θ１が１２０度であると、本考案において、拡散構造１６２の入光面１６２ａと第２出光面１６２ｂの曲率半径を調整することによって、第２出光面１６２ｂから離れた光の第２発散角度θ２を１２０度より大きく、１６０度以下にすることができるが、本考案は、これに限定されない。なお、本考案は、キーボード１の拡散構造１６２の外観を大体、収容空間１４０に合致させることで、フールプルーフで、組立ミスが発生しにくいメリットを有する。
【００３１】
本実施例において、キーボード１は、単一の拡散構造１６２のみを導光板１４の収容空間１４０に収容させるが、本考案は、これに限定されない。異なる厚さを有する導光板に適用可能となるように、別の実施例において、シート型拡散構造１６２（例えば、厚さ０．３２ｍｍ)を予め製作し、導光板の厚さによって、複数の拡散構造１６２を積み重ねて、導光板の収容空間１４０に収容することもできる。従って、シート型拡散構造１６２を、異なる厚さを有する導光板に適用する場合に、大きい柔軟性を有する。
【００３２】
図３Ａに示すように、本実施例において、キーボード１の反射シート１８は、導光板１４にフラットに貼り合わせられて、光源１６０の底部に固定される。反射シート１８を導光板１４の底部にフラットに貼り合わせるために、本考案は、光源１６０の厚さを大体、ベースプレート１０と導光板１４の厚さの合計に等しくすることで、光源１６０に対応するキーボード１の反射シート１８の位置を、大体、フラットにし、光源１６０に、上へ凹んだり下へふくらんだりすることを発生しないようにする。そのため、光を反射シート１８から導光板１４まで反射する過程中、反射シート１８がフラットでないせいで発光品質に影響を与えることにならない。
【００３３】
本実施例において、キーボード１の光源１６０は、主な機能がトリガ信号発生機能であるフィルム回路基板２０に電気的に接続されるが、本考案は、これに限定されない。別の実施例において、キーボード１は、フレキシブル回路基板（図示せず）を更に含むこともできる。キーボード１のフレキシブル回路基板は、ベースプレート１０の穿孔１００をカバーするようにベースプレート１０に設けられ、且つその主な機能が、前記回路基板２０と各々独自に動作するように、光源１６０に給電することである。
【００３４】
本実施例において、キーボード１の光源１６０は、発光ダイオード（Ｌｉｇｈｔ  Ｅｍｉｔｔｉｎｇ  Ｄｉｏｄｅ；ＬＥＤ）であるが、本考案は、これに限定されない。
【００３５】
図４Ａ及び図４Ｂを参照する。図４Ａは、図１に示した発光キースイッチモジュールの線分３Ａ−３Ａ’に沿った別の実施例における別の断面図を示す。図４Ｂは、図４Ａに示した発光キースイッチモジュールの線分４Ｂ−４Ｂ’に沿った断面図を示す。
【００３６】
図４Ａと図４Ｂに示すように、本実施例において、発光キースイッチモジュールが、同様に、ベースプレート１０と、反射シート１８と、フィルム回路基板２０と、を備えるため、それらの機能は、図３の実施例における関連説明を参照することができ、したがって、ここで説明しない。本実施例は、導光板３４及び拡散構造３６２に対して修正を行った点で、図３Ａの実施例と相違している。
【００３７】
図４Ａと図４Ｂに示すように、本実施例において、光源１６０は、フィルム回路基板２０に設けられ、フィルム回路基板２０により直接給電される。光源１６０は、フィルム回路基板２０からベースプレート１０の穿孔１００を貫通して導光板３４の収容空間３４０に収容される。光源１６０は、第１出光面１６０ａを有する。光源１６０は、第１出光面１６０ａから、導光板３４へ、光を側方に向けて発射する。光源１６０の第１出光面１６０ａは、大体、導光板３４に垂直であり、且つ第１出光面１６０ａから離れた光は、第１発散角度θ１を有する。拡散構造３６２の入光面３６２ａと第２出光面３６２ｂは、異なる曲率半径を有するため、第２出光面３６２ｂから離れた光は、第２発散角度θ２を有し（光屈折の原理による）、且つ、第２発散角度θ２は、第１発散角度θ１より大きい。
【００３８】
なお、拡散構造３６２は、収容空間３４０に収容されて、ベースプレート１０と反射シート１８との間にある。本実施例において、拡散構造３６２は、光源１６０と導光板３４との間にあり、入光面３６２ａと第２出光面３６２ｂとを有する。光は、光源１６０の第１出光面１６０ａから離れた後、拡散構造３６２の入光面３６２ａから拡散構造３６２に入り、拡散構造３６２の第２出光面３６２ｂから拡散構造３６２を離れる。それから、拡散構造３６２の第２出光面３６２ｂから離れた光は、導光板３４に更に入る。
【００３９】
換言すれば、本実施例において、拡散構造３６２を光源１６０の外周縁に覆設しない。従って、導光板３４の収容空間３４０及び拡散構造３６２の寸法を小さくして、更に材料のコストを低下させることができる。同様に、本考案は、拡散構造３６２の外観を大体、導光板３４の収容空間３４０に合致させることで、フールプルーフで、組立ミスが発生しにくいメリットを有してもよい。
【００４０】
図５を参照する。図５は、図１に示したキーボード１を示す側面図であり、ただし、反射シート１８を断面で示す。
【００４１】
図５に示すように、本実施例において、キーボード１のベースプレート１０は、導光板１４の周縁外で、少なくとも１つの延出部１０２（即ち、図５におけるベースプレート１０が導光板１４の縁から両側へ突き出した部分）を有する。キーボード１の反射シート１８は、導光板１４にフラットに貼り合わせられて、延出部１０２に固定される。換言すれば、本考案において、反射シート１８を、導光板１４との間を接着剤によって接着せずに、ベースプレート１０の延出部１０２に直接に固定させるため、光を反射シート１８から導光板１４まで反射する過程中、阻害されて発光品質に影響を与えることはない。
【００４２】
本考案の具体的な実施例に対する詳細な説明から、本考案の発光キースイッチモジュール及びキーボードが、直接に上に向けてキースイッチのキーキャップを照射する照射方式と異なった、バックライトによる照射方式で発光を行うため、発光キースイッチモジュール全体が取得する発光効果を均一にすることができることは明らかである。また、本考案の発光キースイッチモジュールにおいて、光源外で拡散構造を更に設けて、光源からの光の発散角度を更に拡大することで、発光キースイッチモジュールのバックライト品質を効果的に向上させる。なお、本考案において、反射シートは、導光板との間を接着剤によって接着せずに、ベースプレートに直接に固定させるため、光が反射シートから導光板まで反射される過程中、阻害されて発光品質に影響を与えることはない。
【００４３】
本考案では実施形態を前述の通り開示したが、これは本考案を限定するためのものではない。当業者であれば、本考案の精神と範囲から逸脱しない限り、多様の変動や修正を加えることができる。従って、本考案の保護範囲は、特許請求の範囲で指定した内容を基準とする。
【符号の説明】
【００４４】
１：キーボード
１０：ベースプレート
１２：キースイッチ
１４、３４：導光板
１８：反射シート
２０：フィルム回路基板
１００：穿孔
１０２：延出部
１２０：キーキャップ
１２２：はさみ型支持構造
１２２ａ：第１支持部材
１２２ｂ：第２支持部材
１２４：エラストマー
１４０、３４０：収容空間
１６０：光源
１６０ａ：第１出光面
１６２、３６２：拡散構造
１６２ａ、３６２ａ：入光面
１６２ｂ、３６２ｂ：第２出光面
２００：回路スイッチ
θ１：第１発散角度
θ２：第２発散角度
【図１】
0003181857.tif 000003
【図２】
0003181857.tif 000004
【図３Ａ】
0003181857.tif 000005
【図３Ｂ】
0003181857.tif 000006
【図４Ａ】
0003181857.tif 000007
【図４Ｂ】
0003181857.tif 000008
【図５】
0003181857.tif 000009